【事件の表示】
　特許第２９１８２２０号「眼科装置」の請求項１ないし２に係る特許に対する特許異議の申立てについて、次のとおり決定する。
【結　論】
　訂正を認める。
　特許第２９１８２２０号の請求項１ないし２に係る特許を維持する。
【理　由】
１．手続の経緯
　特許第２９１８２２０号の請求項１ないし２に係る発明についての出願は、平成４年３月３０日に実用新案登録出願された実願平４−１７６９６号を平成８年３月２９日に新たな特許出願とし特願平８−７６１５３号として特許出願されたもので、平成１１年４月２３日にその発明について特許の設定登録がなされた後、キヤノン株式会社より特許異議の申立てがなされ、取消理由通知がなされ、その指定期間内である平成１２年６月８日に訂正請求がなされたものである。
　
２．訂正の適否についての判断
ア）訂正の内容
　特許権者が求めている訂正の内容は次の訂正事項ａ，ｂ，ｃのとおりである。
（訂正事項ａ）
本件特許請求の範囲の
「【請求項１】　被検眼の撮影手段と、この撮影手段での撮影に供される被検眼像を表示する表示手段とを有し、この表示手段には前記撮影に供される被検眼像と、前記撮影手段の撮影に使用される部材の情報とを表示したことを特徴とする眼科装置。
【請求項２】　前記撮影に使用される部材の情報は、光学部材の名称であることを特徴とする請求項１記載の眼科装置。」を、
「【請求項１】　被検眼の撮影手段と、この撮影手段での撮影に供される被検眼像を表示する表示手段とを有し、この表示手段には前記撮影に供される被検眼像と、前記撮影手段の撮影に使用される部材の
名称
【請求項２】　前記撮影に使用される部材
は、
で
（訂正事項ｂ）
本件特許明細書の、
「【０００９】
　【課題を解決するための手段】
　本発明は、被検眼の撮影手段と、この撮影手段での撮影に供される被検眼像を表示する表示手段とを有し、この表示手段には前記撮影に供される被検眼像と、前記撮影手段の撮影に使用される部材の情報とを表示するようにしたことを特徴とするものである。また、前記撮影に使用される部材の情報を光学部材の名称としたことを特徴とするものである。
　【００１０】
　上述した眼科装置によれば、被検眼像と撮影に使用される部材の情報（例えば光学部材の名称）が表示手段に同時表示されるので、撮影態様を容易に判別できる。」を、
「【０００９】
　【課題を解決するための手段】
　本発明は、被検眼の撮影手段と、この撮影手段での撮影に供される被検眼像を表示する表示手段とを有し、この表示手段には前記撮影に供される被検眼像と、前記撮影手段の撮影に使用される部材の名称とを表示するようにしたことを特徴とするものである。また、前記撮影に使用される部材を光学部材としたことを特徴とするものである。
　【００１０】
　上述した眼科装置によれば、被検眼像と撮影に使用される部材の名称（例えば光学部材の名称）が表示手段に同時表示されるので、撮影態様を容易に判別できる。」　と訂正する。
（訂正事項ｃ）
本件特許明細書の、
「【００３６】
　【発明の効果】
　以上詳述した本発明によれば、撮影に使用されている部材の情報が表示手段に表示されるようにしたので、使用されている部材を直ちに認識して撮影態様を容易に判別することができる。これにより、眼への悪影響やフィルムの無駄等を回避しつつ撮影を行うことができ、この結果適切な眼科診断を行うことが可能な眼科装置を提供することができる。」を、
「【００３６】
　【発明の効果】
　以上詳述した本発明によれば、撮影に使用されている部材の名称が表示手段に表示されるようにしたので、使用されている部材を直ちに認識して撮影態様を容易に判別することができる。これにより、眼への悪影響やフィルムの無駄等を回避しつつ撮影を行うことができ、この結果適切な眼科診断を行うことが可能な眼科装置を提供することができる。」　と訂正する。
　
イ）訂正の目的の適否、新規事項の有無及び拡張・変更の存否
　訂正事項ａは、特許請求の範囲の減縮を目的として、請求項１に記載される「部材の情報」とあるのを「部材の名称」と訂正し、また、請求項１の訂正と整合させるために明りょうでない記載の釈明を目的として、請求項２に記載の「前記撮影に使用される部材の情報は、光学部材の名称である」とあるのを「前記撮影に使用される部材は、光学部材である」と訂正するものである。
　この訂正は、明細書において「上記表示手段としてのディスプレイ３２には後述するように、被検眼像と共に撮影に関する情報（例えばフィルターの名称）が同時表示されるようになっている。」（【００１７】段落）、「表示手段１６にフィルター名称等の撮影に関する情報を表示することを特徴とする」（【００２７】段落）と記載されていることから、願書に添付した明細書または図面に記載した事項の範囲内の補正であり、実質上特許請求の範囲を拡張し又は変更するものではない。
　訂正事項ｂ及び訂正事項ｃは、訂正事項ａにおいてなされた訂正の記載との整合をとるために訂正するもので、明瞭でない記載の釈明を目的とし、願書に添付した明細書または図面に記載した事項の範囲内の補正であり、また実質上特許請求の範囲拡張し又は変更するものではない。
　
ウ）むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．特許異議の申立てについての判断
ア）本件発明
　本件請求項１ないし２に係る発明は、訂正明細書及び図面の記載からみて、それぞれ、特許請求の範囲の請求項１ないし２に記載された次の事項によって特定されるとおりのものと認める。
「【請求項１】　被検眼の撮影手段と、この撮影手段での撮影に供される被検眼像を表示する表示手段とを有し、この表示手段には前記撮影に供される被検眼像と、前記撮影手段の撮影に使用される部材の名称とを表示したことを特徴とする眼科装置。
【請求項２】　前記撮影に使用される部材は、光学部材であることを特徴とする請求項１記載の眼科装置。」
　
イ）申立ての理由の概要
　申立人キヤノン株式会社は、本件請求項１、２に係る発明は、甲第１号証（特開昭６０−２０７６３６号公報）、甲第２号証（実公平２−２８８８３号公報）、甲第３号証（実公平３−４０２５２号公報）、甲第４号証（特開昭６２−２４００２４号公報）に記載の発明に基づいて当業者が容易に発明をすることができたものであるから、特許法第２９条第２項の規定により特許を受けることができず、本件請求項１，２に係る発明の特許は取り消されるべき旨、主張している。
　
ウ）甲第１ないし４号証に記載された事項
　異議申立人が提出した刊行物１ないし４には、以下の事項が記載されている。
ａ）甲第１号証
「眼底の観察及び撮影を行い、特にピント合わせ用指標投影光学系を内蔵し、かつ散瞳撮影と無散瞳撮影の両方式の切換え可能な眼底カメラに関するものであ」（１頁右下欄１６−１９行）って、
「入射側の眼底照明光路にはリレーレンズ７に続いて先端が反射面になっている棒ミラー８が配置され、この棒ミラー８はソレノイド９によって光路外に退避できるようになっている。棒ミラー８の入射側には、可視光カットフィルタ１０に次いでピント合わせ用の指標投影部１１が配置されている。これらの８〜１１の部材から成る指標投影光学系は、台板１２上に取り付けられ、この台板１２は眼底照明光路の光軸方向へ移動できるようになっていて、連動機構１３によりフォーカスレンズ２と一定の関係を保ちながら変位される。」（２頁右上欄９−１９行）もので、
「この眼底カメラにおけるモニタ観察時には、観察光源２１を発した光はコンデンサレンズ２０、可視光カットフィルタ１９を経て赤外光とされ、撮影光源１８に集光した後にコンデンサレンズ１７によりリングスリット１５を照明する。更に、リングスリット１５を出射した赤外光は、リレーレンズ１４、７により穴あきミラー６上に結像した後に、対物レンズ１により被検眼Ｅの紅彩近傍に再結像して眼底Ｅｆを照明する。眼底Ｅｆで反射した光は、対物レンズ１、穴あきミラー６、フォーカスレンズ２、撮影レンズ３を経て跳上げミラー５により、フィールドレンズ２３上に結像した後に、ミラー２４、テレビレンズ２５により赤外撮像管２６上に結像し、テレビモニタ２７にモノクロ可視光像となって表示される。
　照明光束中には、前述したようにフォーカスレンズ２と或る一定の関係を保ちながら眼底照明光軸方向に動く台板１２が連動機構１３により連結されており、台板１２上に載置されている指標投影部１１のピント面と、被検眼Ｅの眼底Ｅｆと、フィルム４とが共役関係位置にあるときに、視標Ａは第３図（ａ）示すようにテレビモニタ２７上で一直線になる。」（２頁左下欄１７行−右下欄１９行）ものであり、
「このようにしてピントの確認を行い撮影光源１８を発光させると、可視光は照明光と同一光路を通り眼底Ｅｆを照明するが、撮影光源１８の発光に連動して跳上げミラー５が跳上がるので、眼底Ｅｆからの光はフィルム４上に結像する。」（３頁左上欄１６−２０行）ものが記載されている。
　
ｂ）甲第２号証
「眼底カメラ、特に被検眼を観察・撮影するための光学系と、前記被検眼を照明するための照明光学系とを備えた眼底カメラのフイルター警告装置に関するものであ」（１欄２０−２３行）って、
「被検眼を観察・撮影するための光学系と、前記被検眼を照明するための照明光学系のそれぞれの光路へそれぞれの可動手段に支持された別個のフイルターを前記可動手段と共に出入可能に配設し、さらに前記各可動手段の前記各光路への出入に連動して作動するそれぞれ別個のスイツチを備え、それらのスイツチの作動により点滅する発光手段を設けて前記各フイルターが共に前記各光路に入ったときあるいは共に出たときの場合には前記発光手段が点灯を継続し、前記フイルターの一方が前記光路へ入り他方が出た状態またはその逆の状態の場合には前記発光手段が点滅をくりかえすような構成を採用した。」（３欄１４−２６行）もので、
「前述した実施例に於ては、ＡフイルターおよびＢフイルターの光路への出入に連動して点灯あるいは点滅する発光ダイオードが、眼底カメラの側面または上面に設けたものであるが、それらを接眼レンズを通して、観察光学系の視野内に視認出来るように配置、構成してもよい。」（１２欄３６−４１行）ものが記載されている。
　
ｃ）甲第３号証
「また、可動ミラー６により屈曲した光軸Ｌ２上には、フイールドレンズ８，斜設された可動ミラー９が配設され、この可動ミラー９によって図の左方に屈曲した光軸Ｌ３上には、ＴＶカメラ用結像レンズ１０、撮影素子１１が配置されている。
　さらにまた、可動ミラー９が破線で示す９ｂの位置にあるときは、この可動ミラー９ｂによって屈曲した光軸Ｌ４上で、図の右方に突出した部分には、開口部１ｂが設けてあり、その内側の光軸Ｌ４上には接眼レンズ１３が、観察者Ｄに対向するように配置されている。
　以上に述べた対物レンズ２から穴あきミラー３の透孔３ａを通り、フオーカシングレンズ４、結像レンズ５、可動ミラー６で屈曲してフイールドレンズ８、可動ミラー９でさらに屈曲して結像レンズ１０までが、撮像素子１１と共に、観察用としてのＴＶ光学系を構成しており、ＴＶモニター１２で観察する。
　また、対物レンズ２から可動ミラー６の実線で示す位置及び可動ミラー９の破線で示す位置９ｂを介して、接眼レンズ１３までが、直視観察用の接眼光学系を構成し、観察者Ｄによって観察される。」ものが記載されている。
　
ｄ）甲第４号証
　「眼科機器の被検眼観察表示装置」（発明の名称）に関して、第６図及び第７図には、撮影像と共に測定情報が文字としてＣＲＴ表示装置に表示されている。
　
エ）当審の判断
　まず、本件請求項１に係る発明と甲第１号証記載の発明とを比較すると、甲第１号証に記載のテレビモニタと指標が、それぞれ本件請求項１に係る発明の表示装置と撮影手段の撮影に使用される部材の情報に相当することから、本件請求項１に係る発明と甲第１号証記載の発明とは、「被検眼の撮影手段と、この撮影手段での撮影に供される被検眼像を表示する表示手段とを有し、この表示手段には前記撮影に供される被検眼像と、前記撮影手段の撮影に使用される部材とを表示したことを特徴とする眼科装置。」で一致しているものの、表示手段において、本件請求項１に係る発明は撮影に使用される部材の名称を表示するのに対し、甲第１号証記載の発明は撮影に使用される部材の名称を表示しているものではない点で相違している。
　さらにこの相違点について甲第２ないし４号証を検討すると、部材の表示に関して、甲第３号証には何ら記載はなく、甲第２号証には、「フイルターの光路への出入に連動して点灯あるいは点滅する発光ダイオード」が、甲第４号証には、「測定情報が文字として表示」されているものが記載されているものの、撮影に使用される部材の名称を表示するものは記載されていない。
　しかも、本件請求項１に係る発明は、上記相違点の構成を有することにより、「使用されている部材を直ちに認識して撮影態様を容易に判断することができる。これにより、眼への悪影響やフィルムの無駄等を回避しつつ撮影を行うことができ」る等の明細書に記載される効果を奏するものと認められる。
　したがって、本件請求項１に係る発明が上記甲第１ないし４号証に記載のものから容易に発明をすることができたものとはいえない。
　また、本件請求項２に係る発明は、本件請求項１に係る発明をさらに限定したものであることから、本件請求項１に係る発明について述べた理由と同様の理由により、上記甲第１ないし４号証に記載のものから容易に発明をすることができたものといえない。
　
オ）むすび
　以上のとおりであるから、特許異議申立ての理由及び証拠によっては、本件請求項１ないし２に係る発明についての特許を取り消すことはできない。
　また、他に本件請求項１ないし２に係る発明についての特許を取り消すべき理由を発見しない。
　したがって、本件請求項１ないし２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記の通り決定する。
【異議決定日】
平成１２年８月２１日（２０００．８．２１）
【訂正の要旨】
ａ．特許請求の範囲の減縮および明りょうでない記載の釈明を目的として、
特許請求の範囲
「【請求項１】被検眼の撮影手段と、この撮影手段での撮影に供される被検眼像を表示する表示手段とを有し、この表示手段には前記撮影に供される被検眼像と、前記撮影手段の撮影に使用される部材の情報とを表示したことを特徴とする眼科装置。
　【請求項２】前記撮影に使用される部材の情報は、光学部材の名称であることを特徴とする請求項１記載の眼科装置。」を、
「【請求項１】被検眼の撮影手段と、この撮影手段での撮影に供される被検眼像を表示する表示手段とを有し、この表示手段には前記撮影に供される被検眼像と、前記撮影手段の撮影に使用される部材の
名称
　【請求項２】前記撮影に使用される部材
は、
で
ｂ．明りょうでない記載の釈明を目的として、
本件特許明細書の
「【０００９】
　【課題を解決するための手段】
　本発明は、被検眼の撮影手段と、この撮影手段での撮影に供される被検眼像を表示する表示手段とを有し、この表示手段には前記撮影に供される被検眼像と、前記撮影手段の撮影に使用される部材の情報とを表示するようにしたことを特徴とするものである。また、前記撮影に使用される部材の情報を光学部材の名称としたことを特徴とするものである。
　【００１０】
　上述した眼科装置によれば、被検眼像と撮影に使用される部材の情報（例えば光学部材の名称）が表示手段に同時表示されるので、撮影態様を容易に判別できる。」を、
「【０００９】
　【課題を解決するための手段】
　本発明は、被検眼の撮影手段と、この撮影手段での撮影に供される被検眼像を表示する表示手段とを有し、この表示手段には前記撮影に供される被検眼像と、前記撮影手段の撮影に使用される部材の名称とを表示するようにしたことを特徴とするものである。また、前記撮影に使用される部材を光学部材としたことを特徴とするものである。
　【００１０】
　上述した眼科装置によれば、被検眼像と撮影に使用される部材の名称（例えば光学部材の名称）が表示手段に同時表示されるので、撮影態様を容易に判別できる。」と訂正する。
ｃ．明りょうでない記載の釈明を目的として、
本件特許明細書の
「【００３６】
　【発明の効果】
　以上詳述した本発明によれば、撮影に使用されている部材の情報が表示手段に表示されるようにしたので、使用されている部材を直ちに認識して撮影態様を容易に判別することができる。これにより、眼への悪影響やフィルムの無駄等を回避しつつ撮影を行うことができ、この結果適切な眼科診断を行うことが可能な眼科装置を提供することができる。」を、
「【００３６】
　【発明の効果】
　以上詳述した本発明によれば、撮影に使用されている部材の名称が表示手段に表示されるようにしたので、使用されている部材を直ちに認識して撮影態様を容易に判別することができる。これにより、眼への悪影響やフィルムの無駄等を回避しつつ撮影を行うことができ、この結果適切な眼科診断を行うことが可能な眼科装置を提供することができる。」と訂正する。
（５４）【発明の名称】
眼科装置
（５７）【特許請求の範囲】
　【請求項１】　被検眼の撮影手段と、この撮影手段での撮影に供される被検眼像を表示する表示手段とを有し、この表示手段には前記撮影に供される被検眼像と、前記撮影手段の撮影に使用される部材の
名称
　【請求項２】　前記撮影に使用される部材
は、
で
【発明の詳細な説明】
　　　【０００１】
　【発明の属する技術分野】
　本発明は、眼科装置に関し、より詳しくは、撮影態様に応じてこの眼科装置が形成する光路に対し選択的に挿脱される光学部材としての各種フィルターを備えた眼科装置に関する。
　　　【０００２】
　【従来の技術】
　例えば、眼科装置の一種である眼底カメラにおいては、被検者の眼の蛍光撮影等を行う際等に撮影態様に応じて各種フィルターを選択的に光路内に挿脱することが行われている。
　　　【０００３】
　そして、このような各種のフィルターは、眼底カメラの外壁部に設けたつまみの操作に連動するようになっている。
　　　【０００４】
　ところで、従来の眼底カメラにおいては、上述したつまみの位置を示すためにこのつまみの近くにＬＥＤ等の発光表示部を設けたものがあり、眼底カメラが暗い場所で用いられる際の便宜を図っている。
　　　【０００５】
　【発明が解決しようとする課題】
　しかしながら、上述した従来の眼底カメラの場所、発光表示部は単色構成であくまでつまみの位置を示すものにすぎず、この発光表示部を見ただけではつまみに連動している前記光路内のフィルターの種類を判断することは困難であるという問題がある。
　　　【０００６】
　また、従来においては、眼底カメラの光路内に、本来挿入されなければならないあるフィルターの代りに別のフィルターが挿入された状態で、又は何も光路内に挿入されないまま眼の撮影等が行われる事態も生じ、このような場所には必要以上の光量が被検者の眼に照射されてしまい眼に悪影響を及ぼしたり、誤診となったりするという問題もある。
　　　【０００７】
　さらに、上述したような誤ったフィルター挿入状態のまま写真撮影を行うと、フィルムの無駄や現像時間の浪費を招くという問題もある。
　　　【０００８】
　そこで、本発明は、撮影態様に応じて光路内に挿入される任意数の光学部材等の撮影に関する情報を各々適確に把握して眼への悪影響やフィルムの無駄等を回避でき適切な眼科診断を行い得る眼科装置を提供することを目的とするものである。
　　　【０００９】
　【課題を解決するための手段】
　本発明は、被検眼の撮影手段と、この撮影手段での撮影に供される被検眼像を表示する表示手段とを有し、この表示手段には前記撮影に供される被検眼像と、前記撮影手段の撮影に使用される部材の
名称
材を
材と
　　　【００１０】
　上述した眼科装置によれば、被検眼像と撮影に使用される部材の
名称
　　　【００１１】
　【発明の実施の形態】
　以下に本発明の実施例を詳細に説明する。
　　　【００１２】
　図１は眼科装置の一例である眼底カメラを示すものである。
　　　【００１３】
　この眼底カメラ１は、平坦なテーブル２上にこのテーブル上を変位可能な支持機構部３を設け、この支持機構部３上に箱型状の装置本体４を設置した構成となっている。
　　　【００１４】
　装置本体４の図１において左側端部側には、被検者Ｍの眼と対峙する対物鏡筒５を取付け、また、装置本体４の右側端部側には被検眼の観察を行う観察手段としての観察筒６及び被検眼の撮影を行う撮影手段としてのスチールカメラ７を取付けている。そして、光源から被検眼、被検眼からスチールカメラ７へ光束を導くための同図には図示しない光路Ｌ（照明光路及び撮影光路）を装置本体４内に設けている。
　　　【００１５】
　前記装置本体４には、さらに撮影手段としてのＴＶカメラ３０を取り付け、このＴＶカメラ３０に記録手段としてのメモリ３１，表示手段としてのディスプレイ３２を接続している。
　　　【００１６】
　また、前記光路Ｌに対しては、後述するように撮影条件に応じて用いられる３個の光学部材、例えば、赤外カットフィルター８，可視蛍光フィルター９，赤外蛍光フィルター１０が選択的に挿脱されるようになっている。また、撮影用補助レンズ操作部が設けられており、撮影条件に応じて補助レンズの挿脱が行えるようになっている。
　　　【００１７】
　上記表示手段としてのディスプレイ３２には後述するように、被検眼像と共に撮影に使用される部材の
情報
　　　【００１８】
　尚、可視蛍光フィルターには、可視蛍光エキサイターフィルターと、可視蛍光バリアフィルターとがあり、各々表示を設けることができる。また、照明光路中には可視蛍光エキサイターフィルターが、撮影光路中には可視蛍光バリアフィルターが用いられる。
　　　【００１９】
　図３に示すように、装置本体４の一方の側壁板の外側から前記光路しの近傍に至る範囲に光学部材操作部１２が設けられている。この光学部材操作部１２は、前記側壁板に対し回転可能に取付けた操作つまみ１３と、この操作つまみ１３に取付けた回転軸１４と、この回転軸１４の突出端部に取付けたフィルター支持円板１５とを具備し、このフィルター支持円板１５の外周部において、その半径方向に前記赤外カットフィルター８，可視蛍光フィルター９，赤外蛍光フィルター１０を所定の間隔をもって取付けている。この構成により、前記操作つまみ１３を回転操作することで、前記赤外カットフィルター８，可視蛍光フィルター９，赤外蛍光フィルター１０が光路Ｌ内に選択的に挿脱されるようになっている。
　　　【００２０】
　前記操作つまみ１３の近傍及び前記側壁板の内部には、色別に各赤外カットフィルター８，可視蛍光フィルター９，赤外蛍光フィルター１０が光路しに挿入していることを表示する表示手段１６が設けられている。
　　　【００２１】
　この表示手段１６は、前記操作つまみ１３の近くに配置した表示筒１７と、前記側壁板の内方に配置した切換スイッチ部１８とを具備し、表示筒１７には図４に示すように黄色，青色，赤色で各々発光する第１乃至第３のＬＥＤ（Ｌｉｇｈｔ　Ｅｍｉｔｔｉｎｇ　Ｄｉｏｄｅ）１９ａ，１９ｂ，１９ｃを内蔵している。尚、図３中、１７ａは表示筒１７の突出端面に設けた透明ガラスである。
　　　【００２２】
　前記切換スイッチ部１８は、図３に示すように前記回転軸１４が貫通する状態に配置した回路基板２０と、この回路基板２０に前記各赤外カットフィルター８，可視蛍光フィルター９，赤外蛍光フィルター１０と対応する間隔で設けた第１乃至第３の接点２１，２２，２３と、前記回転軸１４に固着した導体製のスイッチ円板２４と、このスイッチ円板２４から前記各接点２１，２２，２３に接触する状態に突設した導体製の操作片２５とを具備している。
　　　【００２３】
　次に、前記切換スイッチ部１８及び第１乃至第３のＬＥＤ１９ａ，１９ｂ，１９ｃの回路系について図５を参照して説明する。
　　　【００２４】
　この回路系は、前記操作片２５を電源２６の陽極に接続するとともに、前記第１乃至第３のＬＥＤ１９ａ，１９ｂ，１９ｃの各一方の端子を電源２６の陰極に共通接続し、さらに、第１のＬＥＤ１９ａの他方の端子を前記第１の接点２１に、第２のＬＥＤ１９ｂの他方の端子を前記第２の接点２２に、前記第３のＬＥＤ１９ｃの他方の端子を前記第３の接点２３に各々接続している。
　　　【００２５】
　以上のように、本発明では表示手段としてのディスプレイ３２（第１の表示手段）及び光学部材操作部に設けられた表示手段１６（第２の表示手段）の２種類が設けられている。
　　　【００２６】
　以下に、本発明の眼科装置の作用を説明する。
　　　【００２７】
　本発明では、第１の表示手段としてのディスプレイ３２と、第２の表示手段としての光学部材操作部に設けられた表示手段１６にフィルター名称等の撮影に関する情報を表示することを特徴とするものであるが、先ず第１の表示手段であるディスプレイ３２の表示について図２をも参照して説明する。
　　　【００２８】
　前記切換スイッチ部１８の切換動作をＴＶカメラ３０を介してディスプレイ３２の画像表示に連動させて、被検眼像（眼底像）の表示を行うとともに、光路Ｌに挿入されている赤外カットフィルター８，可視蛍光フィルター（可視エキサイターフィルター，可視蛍光バリアフィルター）９，赤外蛍光フィルター１０の名称を図２に示すように画面表示するようにしている。これによって、操作者は現在使用されているフィルター名を知ることができ、どのような撮影が行われているかを容易に判別することができる。
　　　【００２９】
　次に、上述した構成の眼底カメラ１の作用を説明する。
　　　【００３０】
　先ず光学部材操作部における前記各赤外カットフィルター８，可視蛍光フィルター９，赤外蛍光フィルター１０の光路Ｌへの挿脱動作と、前記表示手段（第２の表示手段）を構成する各ＬＥＤ１９ａ，１９ｂ，１９ｃの表示態様とを主にして説明する。
　　　【００３１】
　眼底カメラ１のオペレータ（検者）が操作つまみ１３を操作して例えば赤外カットフィルター８を光路Ｌに挿入すると、このとき、前記操作片２５は赤外カットフィルター８に対応して第１の接点２１に接触する。これにより、電源２６，操作片２５，第１の接点２１，第１のＬＥＤ１９ａ，電源２６に至る閉回路が形成され、表示筒１７内の第１のＬＥＤは赤外カットフィルター８が光路Ｌに入っていることを示す黄色で発光する。これにより、オペレータは、赤外カットフィルター８が光路Ｌに入っていることを認識できる。
　　　【００３２】
　同様に、可視蛍光フィルター９が光路Ｌに挿入されたときは第２のＬＥＤ１９ｂが青色で発光し、赤外蛍光フィルター１０が光路Ｌに挿入されたときは第３のＬＥＤ１９ｃが赤色で発光するので、オペレータは表示筒１７を見ることでこれらの状態を直ちに認識できる。
　　　【００３３】
　尚、上述した場合のほか、光路Ｌ内に撮影用補助レンズを選択的に挿脱する補助レンズ操作部に上述した場合と同様な表示手段を設けることも可能である。
　　　【００３４】
　また、前記表示筒１７内にＬＥＤを設ける代りに、スチールカメラ７におけるファインダーでＬＥＤの発光を視認できるようにすることも可能である。
　　　【００３５】
　本発明は上述した実施例のほか、その要旨の範囲内で種々の変形が可能である。
　　　【００３６】
　【発明の効果】
　以上詳述した本発明によれば、撮影態様に応じて使用されている部材の名称が表示手段に表示されるようにしたので、使用されている部材を直ちに認識して撮影態様を容易に判別することができる。これにより、眼への悪影響やフィルムの無駄等を回避しつつ撮影を行うことができ、この結果適切な眼科診断を行うことが可能な眼科装置を提供することができる。
【図面の簡単な説明】
　【図１】
　本発明の実施例である眼底カメラの側面図
　【図２】
　本発明の実施例による表示手段の表示例を示す図
　【図３】
　本発明の実施例である眼底カメラの部分拡大斜視図
　【図４】
　本発明の実施例である眼底カメラの表示筒の拡大断面図
　【図５】
　本実施例の切換スイッチ部及び第１乃至第３のＬＥＤの回路図
　【符号の説明】
　１　眼底カメラ
　４　装置本体
　８　赤外カットフィルター
　９　可視蛍光フィルター
　１０　赤外蛍光フィルター
　１２　光学部材操作部
　１６　表示手段
　Ｌ　光路
　Ｍ　被検者